(57)【要約】【課題】ＤＶＤ、ＣＤ、カード、その他のデジタルメディアを利用したプレーヤを有効に活用して、効果的に広告可能とし、既存のプレーヤに簡単に適用することが可能な制御装置を実現する。【解決手段】超音波送信部２と、超音波を受信して人を検出する検出部３と、検出部３からの検出信号を入力してエリア内の人の存否を判定し、この判定結果に基づいてＤＶＤプレーヤ２１を制御するリモコン信号を生成して出力するＤＶＤプレーヤ制御部４とを備えており、ＤＶＤプレーヤ制御部４は、アンド回路１２から人の検出信号が入力された場合のみ、エリア内に人が入ってきたと判定し、ＤＶＤプレーヤ２１のリモコン信号を生成して出力し、オア回路１３からの人の検出信号がない状態が予め設定した不在検出確認時間以上持続した場合は、人はエリアから去ったものと判定し、ＤＶＤプレーヤ２１の動作を終了するリモコン信号を生成し出力する。【選択図】図１
0003117529.tif 000002
【実用新案登録請求の範囲】
【請求項１】
超音波送信部と、超音波を受信して人を検出する検出部と、該検出部からの検出信号を入力してエリア内の人の存否を判定し、該判定結果に基づいてプレーヤを制御するリモコン信号を生成して出力するプレーヤ制御部と、を備えた広告用プレーヤの制御装置であって、
前記超音波送信部は、超音波信号を生成する超音波信号発生部を有し、
前記検出部は、２つの受信器と検出信号出力部とから成り、前記検出信号出力部は、前記２つの受信器からそれぞれ出力される検出信号のアンドをとるアンド回路と、オアをとるオア回路とから構成され、
前記プレーヤ制御部は、前記アンド回路から人の検出信号が入力された場合のみ、前記エリア内に人が入ってきたと判定し、前記広告用プレーヤのリモコン信号を生成して出力し、前記オア回路からの人の検出信号がない状態が予め設定した不在検出確認時間以上持続した場合は、前記人はエリアから去ったものと判定し、プレーヤの前記動作を終了するリモコン信号を生成し出力することを特徴とする広告用プレーヤの制御装置。
【請求項２】
前記超音波信号発生部は、超音波バースト信号を発生する超音波バースト信号発生部であることを特徴とする請求項１に記載の広告用プレーヤの制御装置。
【請求項３】
前記受信器は、前記超音波を受信する受信トランスヂューサと、超音波受信信号増幅部と、受信信号が設定された検出レベルと比較し、該検出レベル以上の受信信号を検出信号として受け入れるコンパレータと、前記検出信号を２値信号として成形するマルチバイブレータと、を備えていることを特徴とする請求項１又は２に記載の広告用プレーヤの制御装置。
【請求項４】
前記プレーヤ制御部は、エリア内判定ロジック部と、リモコン信号発生部を備え、前記エリア内判定ロジック部は、前記アンド回路とオア回路から入力する人の検出信号を入力して人の存在の有無を判定し、該判定結果に基づいて、広告用プレーヤの動作を制御するリモコン信号を生成することを特徴とする請求項１、２又は３に記載の広告用プレーヤの制御装置。
【請求項５】
前記リモコン信号は、広告用プレーヤのチャプター設定及び音量設定の動作の少なくともいずれか１つの動作を制御する信号であることを特徴とする請求項１、２、３又は４に記載の広告用プレーヤの制御装置。
【請求項６】
前記プレーヤ制御部は、リモコン信号発信部を備え、リモコン信号発信部は前記リモコン信号を前記プレーヤに送信する構成であることを特徴とする請求項１、２、３、４又は５に記載の広告用プレーヤの制御装置。
【考案の詳細な説明】
【技術分野】
【０００１】
本考案は、ＤＶＤプレーヤ、カードプレーヤ等のデジタルプレーヤを利用する広告用プレーヤの制御装置に関する。
【背景技術】
【０００２】
店舗内での販売促進用としてＶＴＲとテレビ受信機とを組合せたビデオテープによる広告が一般的である。これには動画プログラムによる宣伝効果は大きいが、次のような問題点がある。
（１）長時間再生によりテープ磨耗に起因する画質、音声が低下する。
（２）特定部分からの再生には巻き戻し等の時間がかかる。
（３）占有面積が大きい為、宣伝したい製品そのものを置くスペースが削られる。
（４）製品の大きさ・重量からも設置方法が限られる。
【０００３】
最近では、ＤＶＤプレーヤの採用により、これらの問題点はほぼ解消されたと思われる。映像再生用プレーヤは現在のところＤＶＤプレーヤが主流であるが、物理的寸法が小さい点や可動部分がない点で、その他のデジタルメディア、例えば、ＣＤプレーヤ、ＭＯプレーヤ、ＳＤカードを使用するカードプレーヤ、或いは同じ機能としてハードディスクを内蔵したプレーヤも有用である。
【０００４】
これらＤＶＤプレーヤ、ＣＤプレーヤ、ＭＯプレーヤ、ＰＣカードプレーヤを利用し、赤外線の反射光、超音波信号の反射等の検出手段で視聴者の有無を検出し、検出結果に基づき広告番組の内容や表示方法を転換する広告表示装置は公知である（特許文献１参照）。
【特許文献１】特開平１１−２３７８６５号公報
【考案の開示】
【考案が解決しようとする課題】
【０００５】
本考案は、ＤＶＤ、その他のデジタルメディアを利用したプレーヤのチャプターアクセス機能等に注目して、有効に活用にすることを目的とするものであり、例えば、人が近づいた際にこれを検知し、音声等の広告動作をより積極的に行わせ広告用のＤＶＤ等のプレーヤを制御する制御装置を実現するものである。
【０００６】
より具体的には、人体センサーによりエリア内に人が入ったことを検出し、予め設定したチャプターにプログラムを移動させ同時に音量を大きくし、また人が立ち去ったあとにはプログラムはそのまま流し音量をもとのレベルにさげる動作をおこない、広告内容をより効果的にアピールさせる広告用のＤＶＤ等のプレーヤを制御する制御装置を実現するものである。
【０００７】
ところで、このような制御装置では、超音波等を用いて人を検知する必要があるが、超音波を用いた場合は、次のような問題がある。
（１）連続波を放射し反射するすべての音波を検出していたため近接した壁があるとこれからの反射成分が大きく壁の前の人物の確実な検出が困難である。
（２）連続信号のため複数の対象物からの反射超音波が干渉してレベル低下を起こし、そのため誤検出してしまう。
特許文献１においても、超音波を用いて人を検知する手段が記載されているが、これら（１）及び（２）の問題を解消する手段は開示されているものではない。
【０００８】
本考案に係る広告用プレーヤの制御装置は、このような問題を解決してＤＶＤ、その他のデジタルメディアを利用したプレーヤを有効に活用して、効果的に広告可能な制御装置と実現するものであり、しかも、既存のプレーヤに簡単に適用することが可能な構成とすることである。
【課題を解決するための手段】
【０００９】
本考案は上記課題を解決するために、超音波送信部と、超音波を受信して人を検出する検出部と、該検出部からの検出信号を入力してエリア内の人の存否を判定し、該判定結果に基づいてプレーヤを制御するリモコン信号を生成して出力するプレーヤ制御部と、を備えた広告用プレーヤの制御装置であって、前記超音波送信部は、超音波信号を生成する超音波信号発生部を有し、前記検出部は、２つの受信器と検出信号出力部とから成り、前記検出信号出力部は、前記２つの受信器からそれぞれ出力される検出信号のアンドをとるアンド回路と、オアをとるオア回路とから構成され、前記プレーヤ制御部は、前記アンド回路から人の検出信号が入力された場合のみ、前記エリア内に人が入ってきたと判定し、前記広告用プレーヤのリモコン信号を生成して出力し、前記オア回路からの人の検出信号がない状態が予め設定した不在検出確認時間以上持続した場合は、前記人はエリアから去ったものと判定し、プレーヤの前記動作を終了するリモコン信号を生成し出力することを特徴とする広告用プレーヤの制御装置を提供する。
【００１０】
前記超音信号波発生部は、超音波バースト信号を発生する超音波バースト信号発生部でとすることが好ましい。
【００１１】
前記受信器は、前記超音波を受信する受信トランスヂューサと、超音波受信信号増幅部と、受信信号が設定された検出レベルと比較し、該検出レベル以上の受信信号を検出信号として受け入れるコンパレータと、前記検出信号を２値信号として成形するマルチバイブレータと、を備えていることが好ましい。
【００１２】
前記プレーヤ制御部は、エリア内判定ロジック部と、リモコン信号発生部を備え、前記エリア内判定ロジック部は、前記アンド回路とオア回路から入力する人の検出信号を入力して人の存在の有無を判定し、該判定結果に基づいて、広告用プレーヤの動作を制御するリモコン信号を生成する構成であることが好ましい。
【００１３】
前記リモコン信号は、広告用プレーヤのチャプター設定及び音量設定の動作の少なくともいずれか１つの動作を制御する信号であることが好ましい。
【００１４】
前記プレーヤ制御部は、リモコン信号発信部を備え、リモコン信号発信部は前記リモコン信号を前記プレーヤに送信する構成であることが好ましい。
【考案の効果】
【００１５】
上記構成から成る本考案に係る広告用プレーヤの制御装置によれば、次のような効果が生じる。
（１）人を検出する検出部によりエリア内に人が入ったことを検出し、広告用のＤＶＤ等のプレーヤを、予め設定したチャプターにプログラムを移動させ同時に音量を大きくし、また人が立ち去ったあとにはプログラムはそのまま流し音量をもとのレベルに下げる動作を行わせ、広告内容をより効果的にアピールすることが可能となる。
【００１６】
（２）検出部が、プレーヤに近接した壁からの反射超音波を受信しても、ゲート回路により人の検出信号としては受信しないようにしたので、壁の前の人の確実な検出が可能である。
【００１７】
（３）２つの受信器を設け、その両方から人の検出信号を予め設定した「存在検出確認時間」以上持続して受信した場合のみ、リモコン信号を送信してこのリモコン信号に基づいてプレーヤを一定時間だけ動作させ、その後、２つの受信器のいずれも人の検出信号を受信しない状態が予め設定した「不存在検出確認時間」以上持続した場合には、リモコン信号に基づくプレーヤの動作を終了するようにしたので、エリア内の人の存在の有無を確実に検出して、広告のために無駄のないプレーヤの制御を行うことができる。
【００１８】
（４）本考案に係る広告用プレーヤの制御装置は、簡単な構成であるから、広告用に使用されるＤＶＤプレーヤはじめ、カードプレーヤ、ＨＤＤプレーヤ等、市販されている各種のプレーヤに簡単に付設して適用することが可能である。
【考案を実施するための最良の形態】
【００１９】
本考案に係る広告用プレーヤの制御装置を実施するための最良の形態を、実施例に基づいて図面を参照して、以下に説明する。
【００２０】
（概要）
本考案に係る広告用プレーヤの制御装置は、ディスプレイ付のＤＶＤプレーヤ、ＣＤプレーヤ、カードプレーヤ等を使用した広告用プレーヤに、外部からの赤外線によるリモコン信号にて制御信号を送信して、その動作をコントロールする制御装置であり、市販のデジタルプレーヤに、その本体を改造する等、特別に手を加えることなく、低コストで、簡単に適用可能な、高い宣伝効果を得ることができるものである。
【００２１】
本考案に係る広告用プレーヤの制御装置は、機能的観点から見て、超音波を送信する超音波送信部と、検出対象エリア内にいる人から反射した超音波を受信する検出部と、検出部からの人の検出信号を受けてプレーヤを制御するリモコン信号を生成し、このリモコン信号を出力するプレーヤ制御部とを備えている。詳細は後述するが、本考案の検出部は、２つの受信器を備えている。
【００２２】
なお、上記「検出対象エリア」とは、本考案に係る広告用プレーヤの制御装置が人の存在を検出して、その検出結果に応じて、広告用プレーヤを制御するべき、人の存在を検出すべき対象となる域であり、本明細書及び本考案では単に「エリア」と言う。このエリアは、具体的には、広告用プレーヤの近辺で、その音や映像が注目できる程度の域であり、広告用プレーヤの設置される状況等により設定される。
【００２３】
（構成）
本考案の構成を説明する。本考案に係る広告用プレーヤの制御装置は、超音波を生成して送信する超音波送信部と、この超音波を受信して人を検出する検出部と、この検出部からの検出信号を入力してエリア内の人の存否を判定し、この判定結果に基づいてプレーヤを制御するリモコン信号を生成し出力するプレーヤ制御部と、を備えている。
【００２４】
超音波送信部は、超音波バースト信号発生部と送信トランスヂューサを有し、超音波バースト信号発生部は、バースト信号発生部とタイミング信号発生部を備えている。
【００２５】
検出部は、２つの受信器と検出信号出力部とから成り、２つの受信器は、それぞれ超音波を受信する受信トランスヂューサと、超音波受信信号増幅部と、受信信号が設定された検出レベルと比較し、この検出レベル以上の受信信号を検出信号として受け入れるコンパレータと、ゲート回路と、検出信号を２値信号として成形するマルチバイブレータと、を備えている。
【００２６】
そして、受信器は、送信トランスヂューサから発信され、エリア内にいる人から反射される超音波を受信し、タイミング信号発生部から受けるゲート信号により動作するゲート回路によって、エリア内にいる人から反射された反射超音波に基づく人の検出信号のみを出力する。
【００２７】
検出信号出力部は、２つの受信器からそれぞれ出力される検出信号のアンドをとるアンド回路と、オアをとるオア回路とから構成されている。
【００２８】
プレーヤ制御部は、エリア内判定ロジック部と、リモコン信号発生部と、リモコン信号発信部とを備え、エリア内判定ロジック部は、検出信号出力部のアンド回路とオア回路から受ける信号に基づいて人の存在の有無を判定し、リモコン信号発生部は、エリア内判定ロジック部の判定結果に基づいて、プレーヤのチャプター設定及び音量設定の動作の少なくともいずれか１つの動作を制御するリモコン信号を生成するものである。
【００２９】
エリア内判定ロジック部は、アンド回路からの人の検出信号が予め設定した存在検出確認時間以上持続してある場合のみ、エリア内に人の存在が有りと判定され、この判定に基づきリモコン信号発生部がプレーヤの動作を制御するリモコン信号を送信して予め設定した所定のプレーヤ動作時間だけプレーヤを動作させる。
【００３０】
この後で、オア回路からのエリア内の人の検出信号がない状態が予め設定した不在検出確認時間以上持続した場合は、人はエリアから去ったものと判定され、この判定に基づきリモコン信号発生部はプレーヤの動作を終了するリモコン信号を送信する。以上が本考案に係る広告用プレーヤの制御装置の構成であるが、具体的な構成を、以下において、さらに実施例で詳細に説明する。
【実施例】
【００３１】
図１（ａ）は、本考案に係る広告用プレーヤの制御装置１の実施例の全体構成を説明するブロック図であり、図２及び図３は、この実施例の構成、動作を説明するためのタイミングチャートである。この実施例では、制御の対象である広告用プレーヤはディスプレイ付きＤＶＤプレーヤで説明するが、カードプレーヤ、ＣＤプレーヤ等の他の種類のプレーヤでもよい。
【００３２】
この実施例の広告用プレーヤの制御装置１は、超音波送信部２と、検出部３と、ＤＶＤプレーヤ制御部４とを備えている。
【００３３】
（超音波送信部）
超音波送信部２は、超音波バースト信号発生部５と、送信トランスヂューサ６を有する。超音波バースト信号発生部５は、バースト信号発生部７とタイミング信号発生部８を備えている。
【００３４】
バースト信号（burusut signal）発生部７は、４０ＫＨｚの超音波信号を発生する超音波発振回路を有するものである。バースト信号発生部７では、４０ＫＨｚの超音波について、図２（ａ）に示すように、その持続時間を５８８マイクロ秒の時間（音波が２０ｃｍ進む時間に相当する。）とし、繰り返し時間４０ミリ秒（音波が１３ｍ進む時間に相当する。）に設定する。
【００３５】
超音波発振回路は、周知のものを利用すればよいが、周波数精度を確保するために、水晶発振器を採用しクロック周波数は２０ＭＨｚである。１マシンサイクルは４クロック分で５ＭＨｚに相当する。これをソフトウエアにて１２５分周し４０ＫＨｚを得ている。送信トランスヂューサ６は、４０ＫＨｚの超音波バースト信号を超音波スピーカ等を利用して発振する部分である。
【００３６】
タイミング信号発生部８は、検出部３のゲート回路９に超音波バースト信号と同期してゲート信号生成して送信する部分である。タイミング信号発生部８で生成するゲート信号は、５８８マイクロ秒（音波が２０ｃｍ往復する時間）刻みにディジタルスイッチにて１６段階に設定できる。このようにゲート信号を設定することで、ゲート時間を、検出距離を４０ｃｍから３．４ｍまでの距離を２０ｃｍ刻みで設定できる。
【００３７】
送信トランスヂューサ６は、バースト信号発生部７で生成した超音波バースト信号を発信する機能を有する発信器である。
【００３８】
（検出部）
検出部３は、送信トランスヂューサ６から発信され、エリア内（境界領域も含む）にいる人から反射された反射超音波（４０ＫＨｚの超音波バースト信号）を受信して、検出動作をする部分である。本考案の検出部３は、２つの受信器１０と検出信号出力部１１とから成る。検出信号出力部１１は、アンド回路１２及びオア回路１３とから構成されている。
【００３９】
２つの受信器１０、１０は、それぞれ受信トランスヂューサ１４、超音波受信信号増幅部１５、コンパレータ１６（比較器）、ゲート回路９、及び再トリガー型マルチバイブレータ１７が順次接続されて構成される。これら受信器１０を構成する要素は、周知の部品を利用すればよい。
【００４０】
２つの受信器１０、１０のそれぞれの超音波受信信号増幅部１５は、エリア内の人から反射され受信トランスヂューサ１４で受信した受信信号である超音波バースト信号を増幅するためのものであり、図示はしないが、オペアンプ２段から構成されている。超音波受信信号増幅部１５には、段間に検出感度の調整のための電子ボリューム（可変抵抗器）を設け、設置された場所の状況に応じて、検出感度を最良の状態にする構成となっている。
【００４１】
コンパレータ１６は、増幅した超音波バースト信号を所定の設定レベルと比較し、設定レベル以上の受信信号のみを検出信号として取り入れるものであり、設定レベル以下の受信信号はノイズとして除去するように構成されている。
【００４２】
ゲート回路９は、タイミング信号発生部８からのゲート信号を受けて、コンパレータ１６からの検出信号（超音波バースト信号）に対するゲートの開閉を行うものであり、その詳細を以下に説明する。
【００４３】
図２（ａ）に示すように、送信トランスヂューサ６から４０ＫＨｚで５８８マイクロ秒の超音波バースト信号が発信される。受信器１０は、図２（ｂ）に受信信号として示すように、送信トランスヂューサ６から発信された超音波を、エリア内にいる人からの反射超音波を受信信号としてとして受信する以外に、送信トランスヂューサ６から直接発信された超音波を直接受信し、また壁からの反射超音波としても受信する。
【００４４】
このように直接受信する超音波及び壁からの反射超音波に基づく検出信号は、エリア内の人の存在とは関係がなくノイズとなるから、人を検出するための検出信号から除外する必要がある。そこで、ゲート回路９は、超音波バースト信号発生部５が発信する超音波バースト信号に同期して、タイミング信号発生部８で生成するゲート信号を受けて、図２（ｃ）〜（ｅ）に示すように、エリア内にいる人の反射超音波を受信して得た検出信号のみを通過するようにゲートの開閉を行う。
【００４５】
この場合、超音波バースト信号発生部５からの直接受信する超音波を除去するために、ゲート信号のゲート開信号（Ｈ）の立ち上がりのタイミングは、送信トランスヂューサ６が超音波バースト信号を発信してから、超音波バースト信号の持続時間である５８８マイクロ秒より時間が経過していなくてはならない。即ち、ゲート開信号（Ｈ）の立ち上がりのタイミングは、図２（ｃ）〜（ｅ）に示すように、超音波バースト信号発生部５から直接受信した超音波に基づく検出信号より遅れたタイミングである。
【００４６】
また、壁からの反射超音波を受信して得た検出信号を除外するために、ゲート信号のゲート開信号（Ｈ）の立ち下がりのタイミングは、壁からの受信信号を受信するタイミングより早くなくてはならない。即ち、ゲート開信号（Ｈ）の立ち上がりのタイミングは、図２（ｃ）〜（ｅ）に示すように、壁からの反射超音波に基づく検出信号より遅れたタイミングである。
【００４７】
これらのゲート信号の立ち上げ、立ち下がりのタイミングは、タイミング信号発生部８において、ゲート時間の設定を行うことにより可能である。具体的には、本実施例では、ゲート時間の設定は、超音波バースト信号の持続時間である５８８マイクロ秒（音波が２０ｃｍ進行する時間）刻みで、その１〜１６倍で調整可能である。
【００４８】
例えば、壁までの距離が、送信トランスヂューサ６及び受信トランスヂューサ１４から往復で３．４ｍあると想定した場合、ゲート信号の立ち下がりのタイミングを５８８マイクロ秒（音波が２０ｃｍ進行する時間）×１６倍に設定しておくと、壁からの反射超音波が３．２ｍ到達した時点で、ゲート信号は立ち下がるから、壁からの反射超音波を受信したとしても、ゲート回路９は閉じられているから通過することはない。
【００４９】
本考案の検出部３は、２つの受信器１０、１０を設けることにより、ダイバーシティー受信をさせる構成を１つの特徴としている。本考案におけるダイバーシティー受信の機能について説明する。受信器１０が１つ、即ち受信トランスヂューサ１４が１個の場合、人がエリア内にいる場合でも複数の反射超音波が干渉し、これにより人の検出信号のレベルが大きく変化する。検出信号が増加する場合は、特に問題はないが、レベルが低下する場合は問題である。
【００５０】
検出信号のレベルが一定レベル以下に下がる状態が（本実施例では後述するが、例えば、４秒間）続くと、エリア内に人がいるにもかかわらず、いないと判定され誤動作となってしまう。そこで、このような誤動作を避けるために、物理的に離れた位置に別の受信器１０の別の受信トランスヂューサ１４を置き、この受信出力を観測すると片方の受信出力が低下した場合に両方の出力が同時に低下することが少なくなる。
【００５１】
一般的に、物理的距離を離して２個以上の受信点を設け複数の信号を合成、選択等により信号の欠落を補い受信品質を高めることを「空間ダイバーシティー」と称しているが、本考案では、このような空間ダイバーシティーを採用しており、干渉による信号低下をもう一方の信号の監視によりカバーするものである。
【００５２】
即ち、本考案では、２つの受信器１０、１０で受信した超音波に基づく２つの検出信号について、アンド回路１２及びオア回路１３によるアンド及びオアを出力を利用することにより、より誤動作の少ない検出が可能になる。本考案では、受信ヂューサ１４を１６．４センチメーター離して設置し、その中央に送信トランスヂューサ６を配置している。
【００５３】
２個の受信トランスヂューサ１４が互いに近接していると２信号は近似した出力になり、空間ダイバーシティーとしての効果が小さいが、本考案の場合は、４０ＫＨｚの超音波の１波長は０．８２７５センチメーターであり、２個の受信トランスヂューサ１４が、１波長の２０倍離れているので、干渉によるレベル低下が同時には起こりにくく、空間ダイバーシティー効果が生じる。
【００５４】
再トリガー型マルチバイブレータ１７は、ゲート回路９を通過した検出信号（超音波バースト信号）を連続した状態の「１」又は「０」のデジタル信号（「１」又は「０」の２値のデジタル信号）に波形成形する回路として機能する。即ち、ゲート回路９を通過した検出信号は、４０ＫＨｚのパルスで毎秒２５回のバースト状であり、この反射波を受信して得た検出信号もバースト信号である。これを４０ミリ秒以上に設定された再トリガー型マルチバイブレータ１７（モノマルチ）に入れると、直線的に平に連続した信号（図３（ａ）参照）に成形されるのでこれを検出信号とする。
【００５５】
検出信号出力部１１は、図１（ｂ）に示すように、アンド回路１２及びオア回路１３とから構成されている。アンド回路１２及びオア回路１３は、それぞれが２つの受信器１０、１０から「１」又は「０」の検出信号を受けて、それぞれが「１」又は「０」の検出信号を出力する。よって、検出信号出力部１１全体の出力としては、両方「０」、片方のみ「１」、両方「１」という２値出力の３つの組み合わせの検出信号を出力する。両方「１」の場合のアンド回路１２出力の「１」を入場時の監視に、アンド回路１２及びオア回路１３のいずれも「０」であるというオア回路１３の出力「０」を退場時の監視に用いる。
【００５６】
（ＤＶＤプレーヤ制御部）                
ＤＶＤプレーヤ制御部４は、エリア内判定ロジック部１８と、リモコン信号発生部１９と、リモコン信号発信部２０とを備えている。エリア内判定ロジック部１８とリモコン信号発生部１９は、具体的には、プログラムに基づいて動作するマイコンのＣＰＵの機能を利用するものである。
【００５７】
即ち、エリア内判定ロジック部１８は、検出部３の検出信号出力部１１からの検出信号を入力し、ＣＰＵの機能を利用することで、人の存在の有無を判定する手段である。そして、リモコン信号発生部１９は、マイコンのＣＰＵの機能を利用することで、エリア内判定ロジック部１８の判定結果に基づいて、ＤＶＤプレーヤ２１のチャプター（ＤＶＤで見せたり聞かせたりする内容の目次）設定（移動）や音量設定等の動作を制御するリモコン信号を生成する手段である。
【００５８】
さらにＤＶＤプレーヤ制御部４の構成について、図３に示す動作タイミングチャートにより説明する。エリア内判定ロジック部１８は、人が存在することを判定する判定手段として機能する。検出部３のコンパレータ１６出力のみでは、エリア内に人が入った、或いは出たということを判定することは容易ではない。
【００５９】
例えば、エリアの境界域を単に通過したり瞬間的に出入りしたりするような場合に、コンパレータ１６出力が瞬間的に人の存在を検出する出力を出しても、エリア内に人が入ったと判定できない。また、反射超音波は常に変動し、さらに多重反射によるレベル低下もある。
【００６０】
本考案の検出部３は、ダイバーシティ構成を採用し、２つの受信器１０、１０からのエリア内の人の存在に対応してアンド回路１２及びオア回路１３からそれぞれ「１」又は「０」の２値情報を出力しているが、図３（ａ）に示すように、検出信号出力部１１のアンド回路１２からの検出信号が「１」（これを「エリア内の人の検出信号」という。）であり、この「１」が予め設定した０．１秒間以上持続すれば、エリア内判定ロジック部１８は、エリア内に「人がいる」と判定し、図３（ｂ）に示すように、「Ｌ」（人がいない状態）から、「Ｈ」（人がいる状態）の判定信号を生成し出力する。
【００６１】
即ち、アンド回路１２からの検出信号が「１」（エリア内の人の検出信号）があっても、その検出信号が０．１秒間より短い時間しか持続しない場合は、「エリア内に人がいる」と判定せず、判定信号「Ｈ」を出さないという機能を有する。これは、人が単に、検出点付近を通過する場合や、その近傍を動いた場合を排除し、人がエリア内の入ったか否かを確実に判定するためであり、０．１秒間の持続時間を設定した。この０．１秒間のように、人の検出信号の持続状態を確認するための持続時間を、本明細書では「存在検出確認時間」と言い、予め、適宜設定できるようにする。
【００６２】
判定信号「Ｈ」が出力されると、リモコン信号発生部１９では、図３（ｃ）で示すように、チャプターや音量アップを内容とするリモコン信号を生成し、このリモコン信号を、リモコン信号発信部２０からＤＶＤプレーヤ２１のリモコン受信部２２に送信し、ＤＶＤプレーヤ２１は図３（ｄ）に示すように制御動作に入る。
【００６３】
リモコン信号発生部１９では、一度チャプター設定（移動）をすると、以後６秒間はそのまま再生し、その間に、人の出入りがあっても（図３（ａ）参照）、後述する４秒間を含み１０秒間はチャプターの移動や音量制御はない。
【００６４】
これは、繁雑なプログラムの移動と音量の上げ下げを避けるためである。再生中人の出入りのたびチャプターがもどるのは継続して見ている人には都合が悪い。そのため完全に人がいなくなったことの判断が必要である。このため、エリア内判定ロジック部１８は、検出信号出力部１１のオア回路１３からの検出信号が、「０」で４秒間以上持続すれば人がいないと判定し、図３（ａ）、（ｂ）に示すように、判定信号は「Ｈ」から「Ｌ」となる。
【００６５】
ここで本考案のきわめて大きな特徴は、上記６秒間が経過してから、オア回路１３からの検出信号が「０」であることが４秒間以上持続した場合には、エリア内判定ロジック部１８は、人がエリア内には存在せず、すでに立ち去っていると判定し、判定信号は「Ｈ」から「Ｌ」となる構成とした点である。
【００６６】
即ち、この４秒間に検出信号出力部１１のオア回路１３からの人の検出信号「１」があれば、人はエリア内にいると判定される。これにより、エリア内にいた人が境界域に未だいる場合等でも、人が去ったとするような判定を防止することができる。この４秒間のように、オア回路１３からの人の検出信号が「０」である持続状態を確認するための持続時間を、本明細書では「不存在検出確認時間」と言い、予め、適宜設定できるようにする。
【００６７】
図３（ａ）、（ｂ）に示すように、判定信号が「Ｌ」となると、リモコン信号発生部１９では、図３（ｃ）に示すように、音量ダウンを内容とするリモコン信号を生成し、このリモコン信号を、リモコン信号発信部２０からＤＶＤプレーヤのリモコン受信部２２に送信し、ＤＶＤプレーヤの音量をさげ。但し、チャプターはそのまま続けて再生する。これで図３（ｄ）に示すように、一連の制御動作は終わり、１秒間のインターバルをおいてから定常状態の人を待つルーチン（待機状態）へもどることになる。
【００６８】
なお、ＤＶＤプレーヤ制御部４における、エリア内判定ロジック部１８及びリモコン信号発生部１９は、前述のとおりＣＰＵの機能を利用するものであるから、ＣＰＵの機能をプログラムにより変えれば、上記図３に示すような０．１秒、６秒、４秒、１秒等の各タイミング時間の設定やリモコン信号の内容等は適宜、変更できることは言うまでもない。
【００６９】
リモコン信号発信部２０は、リモコン信号をＤＶＤプレーヤ２１に送信するものであり、例えば、赤外線によりリモコン信号を送信する。このためのクロックは正確なものが必要で、本実施例では、水晶発振器による５ＭＨｚを採用している。赤外発光ダイオード（ＬＥＤ）をプレーヤの赤外受光部に近接させて設置している。距離が近いためこの光出力は小さくてよい。
【００７０】
（フレーム内への配置）
図４は、本考案に係る広告用プレーヤの制御装置１の使用態様の一例として、ＤＶＤプレーヤ２１に適用して、そのＤＶＤプレーヤ２１を広告用プレーヤに特化した構成の一例を示す正面図であり、上述した各構成部分の具体的配置の一例を示す図でもある。
【００７１】
図４に示す例では、ＤＶＤプレーヤ２１（広告用プレーヤ）が、矩形のボックスフレーム２３内にＬＣＤ２４が前面に表出するように、スペーサ２５を介して配置され、このボックスフレーム２３に、広告用プレーヤの制御装置１の各構成部分が配置されている。ＤＶＤプレーヤ２１の制御装置１（図１（ａ）に示すブロック図に示すもの）の本体は、ＩＣ基板２６として実装され、ボックスフレーム２３内でその側部に配置されている。
【００７２】
但し、ＤＶＤプレーヤ２１の制御装置１のうち、検出部３はＩＣから成るセンサ基板２７として、左右のスペーサ２５の間においてボックスフレーム２３の下部の前面壁の内面に装着されている。超音波送信部２の送信トランスヂューサ６は、ボックスフレーム２３の下部の中央から露出するように配置され、受信器１０、１０のそれぞれの受信トランスヂューサ１４は送信トランスヂューサ６の左右にそれぞれ配置されている。
【００７３】
そして、ＤＶＤプレーヤ制御部４は、そのリモコン信号発生部１９でリモコン信号を生成し、これをＤＶＤプレーヤ２１のリモコン信号受信部２２に向けて送信するが、その送信のためのリモコン信号発信部２０の赤外発光ダイオード（ＬＥＤ）２８は、ＩＣ基板２６と配線及びセンサ基板２７を介して接続され、ＤＶＤプレーヤ２１のリモコン信号受信部２２の近傍に露出するように配置されている。なお、ＤＶＤプレーヤ２１の下部左右にはスピーカ２９が配設されている。  
【００７４】
（作用）
上記構成から成る制御装置の作用を、以下に説明する。
（１）待ち受け状態（定常状態）
エリア内に人がいない状況であって、ＤＶＤプレーヤ２１のプログラムは音量が低く設定されている。この状況は、人の検出を待っている「待ち受け状態」（「定常状態」又は「ルーチン」とも言う。）である。
【００７５】
（２）人がエリア内に入ってきた状態
人がエリア内に入り、検出部３でこの人による反射超音波を受信して人の検出信号を生成し、エリア内判定ロジック部１８が、検出部３における検出信号出力部１１のアンド回路１２から人の検出信号「１」を０．１秒間持続して入力すると（図３（ａ）参照）、エリア内に人が入ったと判定される（図３（ｂ）参照）。
【００７６】
エリア内判定ロジック部１８で人がいると判定されると、リモコン信号発生部１９はＤＶＤプレーヤの動作を制御するリモコン信号を生成する（図３（ｃ）参照）。リモコン信号の内容としては、例えば、ＤＶＤプレーヤのプログラムがディジタルスイッチで予め設定されたチャプターに設定（移動）され、予め設定された数値分音量を大きくするような事項である。
【００７７】
このように生成されたリモコン信号は、リモコン信号発信部２０からＤＶＤプレーヤのリモコン受信部２２に赤外線信号として伝送され、ＤＶＤプレーヤでは、リモコン信号に基づく動作が一定時間（実施例では６秒間）行われる（図３（ｄ）参照）。その後、人が去るのを待つ。
【００７８】
（３）エリアから人が去る状態
受信部の検出信号出力部１１のオア回路１３からの人の検出信号「１」を入力しない状態が４秒間持続すると、エリア内判定ロジック部１８は、エリア内に人がいなくなったと判定し（図３（ａ）、（ｂ）参照）、リモコン信号発生部１９は、ＤＶＤプレーヤ２１がチャプターはそのままで上げた音量をもとにもどす動作を制御するリモコン信号を生成する。
【００７９】
このリモコン信号を、リモコン信号発信部２０からＤＶＤプレーヤのリモコン受信部２２に赤外線信号として伝送し、ＤＶＤプレーヤ２１では、リモコン信号に基づき、チャプターはそのままで上げた音量をもとにもどす（図３（ｃ）参照）。以上の一連の制御が終わり１秒間のインターバルの後、人がエリア内に入ってくるのを待つルーチンに戻る（図３（ｄ）参照）。
【００８０】
以上、本考案に係る広告用プレーヤの制御装置を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００８１】
以上のとおり、本考案に係る広告用プレーヤの制御装置は、所定のエリアに人がいるかいないか検知し、人が確実にいること検出すると、広告用プレーヤを制御できるようにしたので、人の検知を確実にして別の機器を動作させる制御装置であれば、その他の機器の制御にも広く適用可能である。
【図面の簡単な説明】
【００８２】
【図１】（ａ）は本考案の実施例の広告用プレーヤの全体構成を説明する図であり、（ｂ）は検出信号出力部の論理回路を説明する図である。
【図２】実施例の構成、動作を説明するためのタイミングチャートである。
【図３】実施例の動作タイミングチャートである。
【図４】本考案に係る広告用プレーヤの制御装置をＤＶＤプレーヤに適用した例を示す図である。
【符号の説明】
【００８３】
１  広告用プレーヤの制御装置              
２  超音波送信部                          
３  検出部                                
４  ＤＶＤプレーヤ制御部                  
５  超音波バースト信号発生部              
６  送信トランスヂューサ                  
７  バースト信号発生部                    
８  タイミング信号発生部                  
９  ゲート回路                            
１０  受信器                           
１１  検出信号出力部                   
１２  アンド回路                       
１３  オア回路                         
１４  受信トランスヂューサ             
１５  超音波受信信号増幅部             
１６  コンパレータ（比較器）                     
１７  再トリガー型マルチバイブレータ   
１８  エリア内判定ロジック部           
１９  リモコン信号発生部               
２０  リモコン信号発信部               
２１  ＤＶＤプレーヤ                   
２２  リモコン受信部                   
２３  ボックスフレーム                 
２４  ＬＣＤ                           
２５  スペーサ
２６  ＩＣ基板
２７  センサ基板
２８  リモコン信号発信部の赤外発光ダイオード（ＬＥＤ）
２９  スピーカ
【図１】
0003117529.tif 000003
【図２】
0003117529.tif 000004
【図３】
0003117529.tif 000005
【図４】
0003117529.tif 000006